(57)【特許請求の範囲】
【請求項１】
複数のガンマ補正された電圧を生成するガンマ補正部と、
前記複数のガンマ補正された電圧の中の少なくとも一つを基準電圧として選択し、入力信号をアナログ／デジタル変換するデコーダ部と、
を含んでなるガンマ補正機能を有するアナログ／デジタル変換器であって、
前記ガンマ補正部は、第１電圧と第２電圧を供給する基準電圧供給部を有し、
前記基準電圧供給部は、第１電圧又は電源電圧の中の一つを第１基準電圧として出力し、前記第２電圧又は接地電圧の中の一つを第２基準電圧として出力する手段を有し、
前記第１基準電圧と第２基準電圧との間に直列に複数個の単位抵抗器が接続され、前記複数個の単位抵抗器をＮ個の抵抗グループに分割し、前記Ｎ個の抵抗グループは、互いに異なる抵抗値の単位抵抗器を含み、前記Ｎ個の抵抗グループが接続されるノードにガンマ関数に対応する補正された電圧を出力し、前記ノードに前記基準電圧供給部から出力される電圧の中の少なくともいずれか一つを印加し、ガンマ関数を歪曲させて出力する抵抗アレイと、
前記抵抗アレイを構成する各々の単位抵抗器により複数の歪曲されて分圧された電圧の中の少なくともいずれか一つを選択して出力するスィッチング手段と、
を含んでなることを特徴とするガンマ補正機能を有するアナログ／デジタル変換器。
【請求項２】
前記デコーダ部は、前記入力信号に応答して抵抗アレイから出力されるノードの電圧の中の一つを基準電圧として選択し、前記入力信号のデコーディングと信号電圧を出力する粗デコーダ部と、
前記信号電圧に応答して該当するスイッチング手段を短絡させるスイッチコントロール部と、
前記スイッチコントロール部により選択された単位抵抗器により更に分圧された電圧を基準電圧として、入力信号をデコードする微細デコーダ部と、
を含んでなることを特徴とする請求項１に記載のガンマ補正機能を有するアナログ／デジタル変換器。
【請求項３】
前記粗デコーダ部は、前記Ｎ個の抵抗グループが接続されるノードから出力される電圧を基準電圧として印加して入力信号と比較する第１比較手段と、
前記第１比較手段の出力に応答して前記入力信号のレベルを検出して前記入力信号をデコードする粗デコーダと、
を含んでなり、前記入力信号のレベルはスイッチコントロール部へ出力されることを特徴とする請求項２に記載のガンマ補正機能を有するアナログ／デジタル変換器。
【請求項４】
前記微細デコーダ部は、前記単位抵抗器により更に分圧された基準電圧と前記入力信号とを比較する第２比較手段と、
前記第２比較手段の出力に応答して前記入力信号をデコードする微細デコーダと、
を含んでなることを特徴とする請求項２に記載のガンマ補正機能を有するアナログ／デジタル変換器。
【請求項５】
前記第１比較手段は、Ｎ−１個の比較器からなり、各々の比較器は、一側は、前記入力信号を印加され、他側は前記ノードにそれぞれ接続されることを特徴とする請求項３に記載のガンマ補正機能を有するアナログ／デジタル変換器。
【請求項６】
前記第２比較手段は、前記抵抗グループを構成する単位抵抗器と同じ個数の比較器からなり、各々の比較器は、一側は、前記入力信号を印加し、他側は前記更に分圧された基準電圧の中の一つを入力とすることを特徴とする請求項４に記載のガンマ補正機能を有するアナログ／デジタル変換器。
【請求項７】
二つ以上の基準電圧を用いて変形されるガンマ関数によって複数の補正された電圧を生成するガンマ補正部と、
入力信号に応答して前記ガンマ補正部で生成された複数の補正された基準電圧の中の少なくともいずれか一つを選択してアナログ／デジタル変換するデコーダ部と、
を含んでなるガンマ補正機能を有するアナログ／デジタル変換器であって、
前記ガンマ補正部は、複数の電圧をバッファリングして出力する電圧供給部と、
前記電圧供給部から供給される複数の電圧の中、電位レベルが最も高い電圧と最も低い電圧に応答してガンマ補正された電圧を生成し、
前記電位レベルが最も高い電圧と最も低い電圧間に直列に複数個の単位抵抗器が接続され、前記複数個の単位抵抗器をＮ個の抵抗グループに分割し、前記Ｎ個の抵抗グループは、互いに異なる抵抗値の抵抗を含み、
前記Ｎ個の抵抗グループが接続されるノードに前記電位レベルが最も高い電圧と最も低い電圧を除外した前記電圧供給部の出力する電圧の中、少なくともいずれか一つを印加して前記ガンマ補正された電圧を歪曲させて出力する抵抗アレイと、
前記抵抗アレイを構成する各々の単位抵抗器によって複数の歪曲され分圧された電圧の中の少なくともいずれか一つを選択して出力するスイッチング手段と、
を含んでなることを特徴とするガンマ補正機能を有するアナログ／デジタル変換器。
【請求項８】
前記電圧供給部は、前記複数の基準電圧を印加してバッファリングする複数の演算増幅器と、前記複数の演算増幅器の隣接した出力端を互いに接続し、同じ抵抗値を有する複数の抵抗とを含んでなることを特徴とする請求項７に記載のガンマ補正機能を有するアナログ／デジタル変換器。
【請求項９】
前記デコーダ部は、前記入力信号に応答して抵抗アレイから出力されるノードの電圧の中の一つを基準電圧として選択し、前記入力信号のデコーディングと信号電圧を出力する粗デコーダ部と、
前記粗デコーダ部から出力される信号電圧に応答して該当するノードに接続されたスイッチング手段を短絡させるスイッチコントロール部と、
前記スイッチコントロール部により選択された抵抗グループを構成する各々の単位抵抗器により分圧された電圧を基準電圧として、入力信号をデコードする微細デコーダ部と、
を含んでなることを特徴とする請求項７に記載のガンマ補正機能を有するアナログ／デジタル変換器。
【請求項１０】
前記粗デコーダ部は、前記Ｎ個の抵抗グループが接続されるノードから出力される電圧を各々印加して入力信号と比較する第１比較手段と、
前記第１比較手段の出力に応答して前記入力信号のレベルを検出して入力信号をデコードする粗デコーダと、
を含んでなり、前記入力信号のレベルはスイッチコントロール部へ出力されることを特徴とする請求項９に記載のガンマ補正機能を有するアナログ／デジタル変換器。
【請求項１１】
前記微細デコーダ部は、前記スイッチコントロール部によって選択された抵抗グループを構成する各々の抵抗により分圧された基準電圧と前記入力信号とを比較する第２比較手段と、
前記第２比較手段の出力に応答して前記入力信号をデコードする微細デコーダと、
を含んでなることを特徴とする請求項９に記載のガンマ補正機能を有するアナログ／デジタル変換器。
【請求項１２】
前記第１比較手段は、Ｎ−１個の比較器からなり、各々の比較器は、一側は、前記入力信号を印加され、他側は前記Ｎ個の抵抗グループが接続されるノードに各々接続されることを特徴とする請求項１０に記載のガンマ補正機能を有するアナログ／デジタル変換器。
【請求項１３】
前記第２比較手段は、前記各抵抗グループを構成する単位抵抗器と同じ個数の比較器からなり、各々の比較器は、一側は、前記入力信号を印加され、他側は前記選択された抵抗グループから出力される分圧された基準電圧の中の一つを入力することを特徴とする請求項１１に記載のガンマ補正機能を有するアナログ／デジタル変換器。
【発明の詳細な説明】
【０００１】
【発明が属する技術分野】
本発明は、各種の画像信号をデジタル信号に変換するアナログ／デジタル変換器に関し、特に、ガンマ補正時発生する信号の歪曲が少なく、消費電力が少ないアナログデジタル変換器に関する。
【０００２】
【従来の技術】
一般に、アナログ画像入力信号をＣＲＴモニターのようなディスプレイ装置を介して見る場合、ディスプレイ装置は、図１において点線で示す（ＣＲＴカーブ）ように、入力信号に対して非線形的な特徴を有するために、元来の色が正確に表現されず、歪曲されて現れることになる。したがって、このような歪曲を補正して元来入力された画像信号を再生するために、ディスプレイ装置の出力特性を補償するガンマ関数（図１の実線部分）を用いて画像入力信号に対する補正を行なうが、これをガンマ補正という。したがって、画像信号の処理におけるガンマ補正は、必須的であると言えるし、この補償をどのようにするかによってディスプレイ装置を介して現れる画像の品質が変わることになる。従来には、アナログ画像信号をデジタル信号に変えた後、ガンマ補正を行なうが、この場合アナログ画像信号がデジタル信号に変わる過程で元来の信号が一部損失され、この信号をガンマ補正した時、元来の画像入力信号は歪曲されることになる。
【０００３】
前記したガンマ補正の問題点を図２を参照しながら詳細に説明する。図２は、従来の画像信号に対するガンマ補正を行なう方法を説明するためのブロック概念図である。図２を参照すれば、画像入力信号（アナログイメージ信号）が、アナログ／デジタル変換器によりデジタル信号に変換される（ステップＳ２０）と、変換されたデジタル信号に対してガンマ補正を行なう（ステップＳ２１）と、ガンマ補正過程を終了した後、画像信号を処理してディスプレイ装置に送る（ステップＳ２２）とからなる。
【０００４】
まず、画像入力信号がアナログ／デジタル変換される過程を見れば、非線形的なデジタル信号の特性上、入力されたアナログ画像信号がデジタル信号と正確に一致する値がない場合、デジタル信号の中で最も近似した値とマッピング（ｍａｐｐｉｎｇ）が行なわれる。上記マッピング過程により入力された画像信号は、アナログ／デジタル変換時、ランダム（ｒａｎｄｏｍ）に歪曲が起きることになる。また、アナログ信号をデジタル信号に変換する時、データの大きさを減少させるために、アナログ信号の中、特定領域、すなわちデータの出現頻度が高い領域により多くの量子化（Ｑｕａｎｔｉｚａｔｉｏｎ）段階を割り当てることになるので、入力信号の準位（ｌｅｖｅｌ）が低い場合に、歪曲がよりひどくなり、歪曲された状態でガンマ補正を行なった後、アナログ／デジタル変換された低水準入力信号をディスプレイ装置を介して見る場合、画質が落ちることになる。
【０００５】
次いで、ガンマ補正を行なうステップでは、アナログ／デジタル変換過程でランダムに歪曲が起きた信号に対してガンマ補正を行なうことになるので、入力された信号に対して正確なガンマ関数を適用することができなくなる。また、入力信号に対してアナログ／デジタル変換を行なった後に、ガンマ補正を行なう別途のデジタルブロックが必要となるが、デジタル領域では非連続的な入力信号を非線形的な関数を用いて非連続的な出力信号に変えることになるので、ガンマ補正を行なうデジタルブロックを単純な乗算器により具現することが難しく、これによりデジタルブロックの大きさが大きくなって消費電力とチップの面積が増加することになる。
【０００６】
また他の方法として、図３に示すように、アナログ入力信号をガンマカーブに対応するように補正した後（ステップＳ３０）、線形基準電圧によってアナログ／デジタル変換（ステップＳ４０）を行なう方法が考えられるが、このような方法を使用する場合、時間に応じて変化する入力信号に対して正確な伝達関数が適用されるべきであるが、これを具現するためには、入力信号の準位による歪曲の差及び入力信号の周波数特性による伝達関数の歪曲、入力信号の準位によって変わる伝達特性などを考慮した複雑な回路ブロックが必要となって集積回路化時に、面積が増大し、前記伝達関数が入力信号に対して正確に適用されることも困難であるので実際に具現することが難しいという問題があった。
【０００７】
【発明が解決しようとする課題】
そこで、本発明は上記従来のガンマ補正機能を有するアナログ／デジタル変換器における問題点に鑑みてなされたものであって、本発明の目的は、ガンマ補正過程で発生する信号の歪曲が少なく、かつ構造が簡単で低電力消耗と高集積化が可能なアナログ／デジタル変換器を提供することにある。
【０００８】
【課題を解決するための手段】
上記目的を達成するためになされた本発明請求項１に係るガンマ補正機能を有するアナログ／デジタル変換器は、複数のガンマ補正された電圧を生成するガンマ補正部と、複数のガンマ補正された電圧の中の少なくとも一つを基準電圧として選択し、入力信号をアナログ／デジタル変換するデコーダ部と、を含んでなるガンマ補正機能を有するアナログ／デジタル変換器であって、
ガンマ補正部は、第１電圧と第２電圧を供給する基準電圧供給部を有し、基準電圧供給部は、第１電圧又は電源電圧の中の一つを第１基準電圧として出力し、第２電圧又は接地電圧の中の一つを第２基準電圧として出力する手段を有し、第１基準電圧と第２基準電圧との間に直列に複数個の単位抵抗器が接続され、複数個の単位抵抗器をＮ個の抵抗グループに分割し、Ｎ個の抵抗グループは、互いに異なる抵抗値の単位抵抗器を含み、Ｎ個の抵抗グループが接続されるノードにガンマ関数に対応される補正された電圧を出力し、前記ノードに前記基準電圧供給部から出力する電圧の中の少なくともいずれか一つを印加し、ガンマ関数を歪曲させて出力する抵抗アレイと、抵抗アレイを構成する各々の単位抵抗器により複数の歪曲されて分圧された電圧の中の少なくともいずれか一つを選択して出力するスィッチング手段と、を含んでなるなることを特徴とし、
また、本発明請求項７に係るガンマ補正機能を有するアナログ／デジタル変換器は、二つ以上の基準電圧を用いて変形されるガンマ関数によって複数の補正された電圧を生成するガンマ補正部と、入力信号に応答してガンマ補正部で生成された複数の補正された基準電圧の中の少なくともいずれか一つを選択してアナログ／デジタル変換するデコーダ部と、を含んでなるガンマ補正機能を有するアナログ／デジタル変換器であって、
前記ガンマ補正部は、複数の電圧をバッファリングして出力する電圧供給部と、電圧供給部から供給される複数の電圧の中、電位レベルが最も高い電圧と最も低い電圧に応答してガンマ補正された電圧を生成し、前記電位レベルが最も高い電圧と最も低い電圧間に直列に複数個の単位抵抗器が接続され、複数個の単位抵抗器をＮ個の抵抗グループに分割し、Ｎ個の抵抗グループは、互いに異なる抵抗値の抵抗を含み、Ｎ個の抵抗グループが接続されるノードに電位レベルが最も高い電圧と最も低い電圧を除外した電圧供給部の出力する電圧の中、少なくともいずれか一つを印加してガンマ補正された電圧を歪曲させて出力する抵抗アレイと、抵抗アレイを構成する各々の単位抵抗器によって複数の歪曲され分圧された電圧の中の少なくともいずれか一つを選択して出力するスイッチング手段と、
を含んでなることを特徴とする。
【０００９】
【発明の実施の形態】
次に、本発明にかかるガンマ補正機能を有するアナログ／デジタル変換器の実施の形態の具体例を図面を参照しながら説明する。図４は、本発明に係るガンマ補正機能を有するアナログ／デジタル変換器の動作概念を示すものであって、アナログ入力信号をガンマ補正するアナログ／デジタルコンバーターでデジタル信号に変換して（ステップＳ５０）、デジタル信号処理（ステップＳ６０）を行なうことを特徴とする。図５は、図４の概念をより具体化した動作概念図であって、アナログ入力信号を周波数及び入力信号の大きさに関係せずガンマ関数に合せて実時間で補正することはほとんど不可能であるので、本発明のガンマ補正機能を有するアナログ／デジタル変換器は、ガンマ関数によって補正された基準電圧を生成するブロック７０と、アナログ入力信号により補正された電圧の中一つを選択してアナログ／デジタル変換するブロック８０とからなる。
【００１０】
以下、図６を参照しながら上述の概念を具体的に説明する。図６は、本発明の好ましい一実施例に係るガンマ補正機能を有するアナログ／デジタル変換器を示す。図６を参照すると、ガンマ関数によって複数の補正された電圧を生成するガンマ補正部１００及び入力信号ＩＮに応答してガンマ補正部１００で生成された複数の補正された電圧の中、少なくともいずれか一つを選択してアナログ／デジタル変換するデコーダ部２００を含んでなる。
【００１１】
より具体的には、ガンマ補正部１００は、基準電圧ＶｒｅｆＴ、ＶｒｅｆＢを出力する基準電圧供給部１１０及び基準電圧ＶｒｅｆＴ、ＶｒｅｆＢをガンマ関数によって複数の補正された電圧に分圧させる補正電圧生成部１２０を含んで構成、実施される。前記基準電圧供給部１１０は、基準電圧ＶｒｅｆＴ、ＶｒｅｆＢを各々入力される電圧入力パッドＰＡＤ＿１、ＰＡＤ＿２と、一側は、電圧入力パッドＰＡＤ＿１に接続される抵抗Ｒ１と、一側は、抵抗Ｒ１の他側に接続され、他側は、電源電圧ＶＤＤに接続されるスイッチＳ１と、一側は、電圧入力パッドＰＡＤ＿２に接続される抵抗Ｒ２、及び一側は、抵抗Ｒ２の他側に接続され、他側は、接地電圧ＶＳＳに接続されるスイッチＳ２を含んでなり、スイッチＳ１、Ｓ２の選択によって電圧入力パッドＰＡＤ＿１と抵抗Ｒ１の一側とが接続されるノードＮｏｄｅ１と、前記電圧入力パッドＰＡＤ＿２と抵抗Ｒ２の一側とが接続されるノードＮｏｄｅ２で各々前記基準電圧ＶｒｅｆＴと電源電圧ＶＤＤの中、いずれか一つを出力し、基準電圧ＶｒｅｆＢと接地電圧ＶＳＳの中、いずれか一つを出力するように構成、実施される。
【００１２】
補正電圧生成部１２０は、基準電圧ＶｒｅｆＴ、ＶｒｅｆＢ間に複数個がＮ個の抵抗グループｇｒｏｕｐ＿１〜ｇｒｏｕｐ＿ｎに分割されて接続されるが、Ｎ個の抵抗グループｇｒｏｕｐ＿１〜ｇｒｏｕｐ＿ｎが互いに接続されるノードＮ１〜Ｎｎの電圧を出力する抵抗アレイＲ１１〜Ｒｎｎと、抵抗アレイＲ１１〜Ｒｎｎを構成する各々の抵抗によって複数のガンマ補正された電圧の中、少なくとも一つを選択して出力するスイッチング手段Ｓ１１〜Ｓｎｎを含んで構成、実施される。デコーダ部２００は、入力信号ＩＮに応答して抵抗アレイＲ１１〜Ｒｎｎから出力されるノードの電圧Ｖｃ１〜Ｖｃｎの中の一つを選択しこれを出力及びデコーディングする粗デコーダ部２１０と、粗デコーダ部２１０から出力されるノード電圧に応答して該当するノードに接続されたスイッチを短絡させるスイッチコントロール部２２０、及びスイッチコントロール部２２０により選択された抵抗グループｇｒｏｕｐ＿１〜ｇｒｏｕｐ＿ｎの中の一つを構成、各々の抵抗により分圧された補正電圧をデコーディングする微細デコーダ部２３０とを含んで構成、実施される。
【００１３】
粗デコーダ部２１０は、Ｎ個の抵抗グループｇｒｏｕｐ＿１〜ｇｒｏｕｐ＿ｎが接続されるノードＮ１〜Ｎｎから出力される電圧Ｖｃ１〜Ｖｃｎを各々印加されて入力信号ＩＮと比較する比較部２１１、及び比較部２１１の出力に応答して入力信号ＩＮのレベルを検出して出力及びデコードする粗デコーダ２１２を含んで構成、実施され、比較部２１１は、Ｎ個の比較器２１１＿１〜２１１＿ｎからなり、各々の比較器は、一側は、入力信号ＩＮを印加し、他側は、Ｎ個の抵抗グループｇｒｏｕｐ＿１〜ｇｒｏｕｐ＿ｎが接続されるノードＮ１〜Ｎｎに各々接続される。微細デコーダ部２３０は、スイッチコントロール部２２０によって選択された抵抗グループを構成する各々の抵抗Ｒ１１〜Ｒｎｎにより分圧された複数個の補正電圧と、入力信号ＩＮを比較する比較部２３１及び比較部２３１の出力に応答してこれをデコードする微細デコーダ２３２を含んで構成、実施され、比較部２３１は、Ｎ個の抵抗グループｇｒｏｕｐ＿１〜ｇｒｏｕｐ＿ｎの中のいずれか一つから出力される分圧された補正電圧の個数と同じ個数の比較器２３１＿１〜２３１＿ｎからなり、各々の比較器は、一側は入力信号ＩＮを印加され、他側は抵抗グループｇｒｏｕｐ＿１〜ｇｒｏｕｐ＿ｎの中のいずれか一つの抵抗グループから出力される分圧された補正電圧の中のいずれか一つを入力とするように構成、実施される。
【００１４】
以下、図６を参照しながら本発明の動作について詳細に説明する。まず、基準電圧供給部１１０から出力される基準電圧ＶｒｅｆＴ、ＶｒｅｆＢが複数の抵抗Ｒ１１〜Ｒｎｎから構成された補正電圧生成部１２０に印加されれば、基準電圧ＶｒｅｆＴ、ＶｒｅｆＢは、抵抗Ｒ１１〜Ｒｎｎによって各々電圧降下が起きるので、各々の抵抗Ｒ１１〜Ｒｎｎが互いに接続されるノードＮ１〜Ｎｎでは、基準電圧ＶｒｅｆＴ、ＶｒｅｆＢを分圧した電圧が生成される。この場合、各々の抵抗Ｒ１１〜ＲｎｎをＮ個の抵抗グループｇｒｏｕｐ＿１〜ｇｒｏｕｐ＿ｎに分割し、各々の抵抗グループはそれぞれ互いに異なる抵抗値を有するようにする。
【００１５】
例えば、抵抗グループｇｒｏｕｐ＿１を構成する抵抗Ｒ１１〜Ｒ１ｎは、同じ抵抗値を有するが、他の抵抗グループ（例えばｇｒｏｕｐ＿２）は、抵抗グループｇｒｏｕｐ＿１とは異なる抵抗値を有し、抵抗グループｇｒｏｕｐ＿２を構成する抵抗Ｒ２１〜Ｒ２ｎは、同じ抵抗値を有する。したがって、互いに異なる抵抗値を有する抵抗グループによって各々の抵抗グループが接続されるノードＮ１〜Ｎｎ間の電圧差が大きくなり、この差をガンマ関数と類似した形態にするようにする。すなわち、補正電圧生成部１２０は、基準電圧供給部１１０の電圧を分圧してガンマ関数に対応される補正電圧を生成する。ここで、基準電圧供給部１１０から出力される基準電圧ＶｒｅｆＴ、ＶｒｅｆＢが精密ではなくても良い場合には、電圧入力パッドＰＡＤ＿１、ＰＡＤ＿２に基準電圧ＶｒｅｆＴ、ＶｒｅｆＢを印加せず、スイッチＳ１、Ｓ２を短絡させて電源電圧を使用しても良い。
【００１６】
一方、デコーダ部２００に印加された入力信号ＩＮは、粗デコーダ部２１０と微細デコーダ部２３０の比較器２１１＿１〜２１１＿ｎ、２３１＿１〜２３１＿ｎの正（＋）入力端子に印加され、粗デコーダ部２１０の比較器２１１＿１〜２１１＿ｎには、補正電圧生成部１２０で生成されたノード電圧Ｖｃ１〜Ｖｃｎが印加されて入力信号ＩＮと比較される。この場合、入力信号ＩＮとノード電圧ｃ１〜ｃｎ間の比較を通じて入力信号ＩＮのレベル（ＬＥＶＥＬ）が決定され、決定されたレベルは、スイッチコントロール部２２０に出力され、デジタル信号にもデコーディングされる。この場合、微細デコーダ部２３０にある比較器２３１＿１〜２３１＿ｎは、スイッチが全部オフされた状態であるので動作していない。
【００１７】
次いで、粗デコーダ部２１０から印加された入力信号ＩＮのレベルに応じてスイッチコントロール部２２０は、該当する抵抗グループｇｒｏｕｐ＿１〜ｇｒｏｕｐ＿ｎの中一つに接続されたスイッチを短絡させる。例えば、入力信号ＩＮのレベルが比較器２１１＿１で決定されたならば、比較器２１１＿１に該当する抵抗グループｇｒｏｕｐ＿１に接続されたスイッチＳ１１〜Ｓ１ｎが全部短絡されて抵抗グループｇｒｏｕｐ＿１で分圧された電圧を微細デコーダ部２３０に伝達し、微細デコーダ部２３０の比較器２３１＿１〜２３１＿ｎは、抵抗グループｇｒｏｕｐ＿１で分圧された補正電圧に応答して粗デコーダ部２１０で検出した入力信号ＩＮのレベルをさらに微細に検出することになる。すなわち、粗デコーダ部２１０で入力信号ＩＮに対する概略的なレベルを検出し、微細デコーダ部２３０で精密なレベル検出を行なうことになる。したがって、入力信号ＩＮをデコードした値の中上位ビット側のデータは、粗デコーダ部２１０から出力され、下位ビット側のデータは、微細デコーダ部２３０から出力される。
【００１８】
一方、図６に示した基準電圧供給部１１０は、集積回路化の際、面積を小さく占め、消費電力も少ない利点があるが、固定された基準電圧ＶｒｅｆＴ、ＶｒｅｆＢのみを補正電圧生成部１２０に供給するので、補正電圧生成部１２０で二つの基準電圧ＶｒｅｆＴ、ＶｒｅｆＢを分圧してガンマ関数を生成するので、ガンマ関数値が固定されてしまう。したがって、図７に示すように、複数の基準電圧ＶＲＴ〜ＶＲＢを印加して出力する電圧供給装置によって多様なガンマ関数を必要とする場合、これに対応することができる。
【００１９】
図７を参照すると、電圧供給装置は、複数の基準電圧ＶＲＴ〜ＶＲＢを印加してバッファリングする演算増幅器３００＿１〜３００＿ｎと、演算増幅器３００＿１〜３００＿ｎの出力端の中隣接した出力端（例えば、Ｖａｄｄ＿１とＶａｄｄ＿２、Ｖａｄｄ＿２とＶａｄｄ＿３）を互いに接続し、同じ抵抗値を有する複数の抵抗３０１＿１〜３０１＿ｎを含んでなる。図７に示す電圧供給装置は、図６に示した基準電圧供給部に置き換え、補正電圧生成部１２０がガンマ関数を具現するために必要な抵抗Ｒ１１、Ｒｎ１に印加される電圧Ｖａｄｄ＿１とＶａｄｄ＿ｎを除外した残りの電圧Ｖａｄｄ＿２〜Ｖａｄｄ＿ｍの中の少なくとも一つを補正電圧生成部１２０のノードＮ１〜Ｎｎに電圧Ｖａｄｄ＿２〜Ｖａｄｄ＿ｍを選択的に印加することによって、ガンマ関数を歪曲させることができるようにしたものである。
【００２０】
尚、本発明は、本実施例に限られるものではない。本発明の技術的範囲から逸脱しない範囲内で多様に変更実施することが可能である。
【００２１】
【発明の効果】
上述したように、本発明によれば、従来においてはデジタル領域で行なわれたガンマ補正をガンマ関数により補正された基準電圧を生成した後、これを入力信号によってデコーディングすることによって、これを集積回路化する際、極めて小さい面積で具現が可能となり、消費電力も極めて小さい。
【００２２】
また、本発明は、アナログ領域でガンマ補正を行なうことによって、従来、デジタル領域でガンマ補正する際、入力信号が歪曲される問題点を解決し、多様なガンマ補正が必要な場合においてもこれに該当するガンマ補正が可能となる。
【図面の簡単な説明】
【図１】ガンマ関数を説明するための図面である。
【図２】従来の画像信号に対するガンマ補正方法を説明するためのブロック図である。
【図３】従来の他のガンマ補正方法を説明するためのブロック図である。
【図４】本発明に係るガンマ補正方法を説明するためのブロック図である。
【図５】本発明のガンマ補正方法を説明するためのブロック図である。
【図６】本発明に係るガンマ補正機能を有するアナログ／デジタル変換器の好ましい一実施例を示す回路図である。
【図７】本発明に係る基準電圧供給部の他の実施例を示す回路図である。
【符号の説明】
１００  ガンマ補正部
１１０  基準電圧供給部
１２０  補正電圧生成部
２００  デコーダ部
２１０  粗デコーダ部
２１１  比較部
２１１＿１〜２１１＿ｎ  Ｎ個の比較器
２１２  粗デコーダ
２２０  スイッチコントロール部
２３０  微細デコーダ部
２３１  比較部
２３１＿１〜２３１＿ｎ  Ｎ個の比較器
２３２  微細デコーダ
３００＿１〜３００＿ｎ  演算増幅器
３０１＿１〜３０１＿ｎ  抵抗
【図１】
0004048052.tif 000002
【図２】
0004048052.tif 000003
【図３】
0004048052.tif 000004
【図４】
0004048052.tif 000005
【図５】
0004048052.tif 000006
【図６】
0004048052.tif 000007
【図７】
0004048052.tif 000008